(57)【特許請求の範囲】
【請求項１】
外部竿体の内部に収納可能に内部竿体が振出形式で連結される竿体の連結構造であって、
前記外部竿体は、穂先側ほど小径にテーパーが形成された筒状の第１本体部と、前記第１本体部の穂先側端部に形成された嵌合雌部とを有し、
前記内部竿体は、穂先側ほど小径にテーパーが形成された筒状の第２本体部と、前記第２本体部の竿元側に形成され第２本体部のテーパーに比べてテーパーが大きく形成されている傾斜部と、前記傾斜部上に他の部分に比べて大径に形成され前記嵌合雌部に嵌合する嵌合雄部を有し、
前記内部竿体の第２本体部及び傾斜部の表面は表面塗装が施された塗装面であり、前記嵌合雄部の表面は素材を研磨した研磨面である
ことを特徴とする竿体の連結構造。
【発明の詳細な説明】
【０００１】
【発明の属する技術分野】
本発明は、振出形式で連結された釣竿の竿体の連結構造に関する。
【０００２】
【従来の技術】
従来の振出形式の釣竿（以下、「振出し竿」という）は、穂先側先端に嵌合雌部を有する外部竿体と、竿元側端部に嵌合雄部を有し外部竿体の穂先側に連結される内部竿体とを有している。また、外部竿体及び内部竿体の外周面は、防水性，耐久性を向上させるべく、塗料が塗布されている。
【０００３】
この振出し竿では、外部竿体の嵌合雌部に内部竿体の嵌合雄部を挿入し、嵌合して１本の釣竿として用いる。
【０００４】
【発明が解決しようとする課題】
従来の振出し竿では、内部竿体を外部竿体内に出し入れする際に、内部竿体の周面と外部竿体の穂先側端部とが接触し、内部竿体の表面塗装が剥げ落ちてしまったり、不快な音を発生する場合がある。
この内部竿体の周面と外部竿体の穂先側端部との接触を抑えるには、内部竿体の嵌合雄部を内部竿体の他の部分に比べて大径に形成し、内部竿体の外径と外部竿体の穂先側端部の内径との径差を大きくすることが考えられる。
【０００５】
しかし、竿体の一部に他の部分より大径の部分を形成すると、この大径部分と他の部分との間に段差が生じてしまう。釣竿に大きな力がかかる釣竿の使用時においては、この段差に応力が集中することになるので、この段差から竿体が破損してしまう恐れがある。
本発明の課題は、内部竿体と外部竿体との不用意な接触を防止し、かつ破損しにくい竿体の連結構造を提供することにある。
【０００８】
【課題を解決するための手段】
本発明１に係る竿体の連結構造は、外部竿体の内部に収納可能に内部竿体が振出形式で連結される竿体の連結構造である。ここで外部竿体は、穂先側ほど小径にテーパーが形成された筒状の第１本体部と、第１本体部の穂先側端部に形成された嵌合雌部とを有している。また、内部竿体は、穂先側ほど小径にテーパーが形成された筒状の第２本体部と、第２本体部の竿元側に形成され第２本体部のテーパーに比べてテーパーが大きく形成されている傾斜部と、前記傾斜部に他の部分に比べて大径に形成され前記嵌合雌部に嵌合する嵌合雄部とを有し、前記内部竿体の第２本体部及び傾斜部の表面は表面塗装が施された塗装面であり、嵌合雄部の表面は素材を研磨した研磨面であることを特徴とする。
この場合には、外部竿体の嵌合雌部と内部竿体の嵌合雄部とが嵌合して、外部竿体と内部竿体とが連結される。ここで、傾斜部は本体部のテーパーに比べて大きなテーパーを有しており、竿元側端部の嵌合雄部の外径は内部竿体の本体部の外径に比べて十分に大きくなる。この結果、外部竿体の嵌合雌部の内径と内部竿体の本体部の外径との差異を大きく形成でき、内部竿体を外部竿体内部に出し入れする際に、内部竿体の本体部の表面が外部竿体と不用意に接触するのを防止できる。
また、他の部分に比べて大径の内部竿体の嵌合雄部は傾斜部に形成されており、嵌合雄部と他の部分との段差部分を傾斜部が補強している。このため、釣竿の使用時に嵌合雄部と他の部分との段差部分に大きな応力が集中しても破損しにくい。
【０００９】
この場合には、嵌合雄部の表面が素材を研磨した研磨面であるので、嵌合雌部との密着安定性が向上する。
【００１０】
【発明の実施の形態】
［第１実施形態］
以下、本発明の第１実施形態について、図面を参照しつつ説明する。
（全体構成）
本発明の第１実施形態を採用した釣竿は、図１に示すように、外部竿体１と、外部竿体１の穂先側に外部竿体１内に収納可能なように連結された複数の内部竿体２とを有している。外部竿体１は、竿尻側端部に設けられたグリップ３と、グリップ３よりやや穂先側の外周面に設けられリール５が装着可能なリールシート４と、リールシート４の穂先側の外周面に設けられリール５からの釣糸Ｌを竿体内部に挿入する釣糸導入孔６とを有している。内部竿体２は、複数の竿体が順次挿入して収納可能になっており、穂先側先端にはトップガイド７が設けられている。そして、リール５から導かれた釣糸Ｌは、釣糸導入孔６から外部竿体１及び内部竿体２内に導入され、トップガイド７から外部へ導かれる。
【００１１】
外部竿体１は、図２に示すように、穂先側ほど小径にテーパーが形成された筒状の部材であって、内部は内部竿体２を収納可能な竿収納部１００となっている。外部竿体１は、本体部１１と、穂先側端部内周面に形成された嵌合雌部１２とを有している。この本体部１１は炭素繊維の強化繊維に樹脂を含浸させたシート状のプリプレグをマンドレルに巻回して成形されるものである。また、嵌合雌部１２の内周面には他の部分より比較的柔らかい樹脂層（図示せず）が形成されている。この樹脂層は、ポリプロピレン繊維に樹脂を含浸させたプリプレグから形成され、本体部１１と一体形成されている。
【００１２】
内部竿体２は、図２及び図３に示すように、穂先側ほど小径にテーパーが形成された筒状の部材であって、内部は穂先側に連結される他の内部竿体を収納可能な竿収納部２００となっている。内部竿体２は、本体部２１と、本体部２１の竿元側端部に設けられ本体部２１のテーパーに比べてテーパーが大きく形成された傾斜部２２と、傾斜部２２に設けられ、他の部分より大径に形成された嵌合雄部２３とを有している。また、嵌合雄部２３の竿元側端面には尻栓部２４が設けられている。
【００１３】
図３に示すように、本体部２１は、外部竿体１の本体部１１と同様に、炭素繊維の強化繊維に樹脂を含浸させたシート状のプリプレグをマンドレルに巻回して形成されるものである。傾斜部２２は、後に詳しく説明するように、本体部２１を形成するプリプレグの外周に他のプリプレグを巻回して、本体部２１と一体化させることによって形成されている。また、嵌合雄部２３も傾斜部と２２と同様に、他のプリプレグを巻回して一体化して形成され、外部竿体１の嵌合雌部１２の内周径に合致するようになっている。この嵌合雄部２３は他の部分より大径に形成されており、嵌合雄部２３と傾斜部２２との間には段差３０が設けられている。なお、本体部２１及び傾斜部２２の表面には塗材等が塗布され、塗材処理が施されている。一方、嵌合雄部２３の表面は研磨処理が施されたままである。
【００１４】
また、尻栓部２４はネジ部２４ａを有しており、このネジ部２４ａを嵌合雄部２３の竿元側端面に螺号して固定可能になっている。
（内部竿体２の製造方法）
本発明の第１実施形態を採用した内部竿体２は、以下のようにして製造される。
【００１５】
図４に示すように、まず、所定のテーパが形成されたマンドレル３００の外周にワックス等の離型剤４０を塗布し、炭素繊維の強化繊維に樹脂を含浸させたシート状のプリプレグ４１〜４４を加圧しながら順次巻回する。ここで、最も内側の第１プリプレグ４１は、テープの長さ方向に強化繊維が配向されたものを用いて形成され、内部竿体２の円周方向に強化繊維群５１が配向される。また、第１プリプレグ４１の外周に順次巻回される第２〜第４のプリプレグ４２〜４４は、テープの幅方向に強化繊維が配向されたものを用いて形成され、第２〜第４強化繊維群５２〜５４がマンドレルの軸方向に配向された状態になる。そして、これらプリプレグ４１〜４４が内部竿体２の本体部２１を構成することになる。
【００１６】
このように本体部２１を形成した後、図５（ａ）に示すように、竿元側に傾斜プリプレグ５１ａを巻回する。この傾斜プリプレグ５１ａは、竿元側の辺が長辺になっている台形型であり、本体部２１の外周に巻回することによって、本体部２１のテーパーより大きなテーパーを有する部分、即ち、傾斜部２２を形成する。傾斜部２２を形成した後、図５（ｂ）に示すように、竿元側端部にさらに嵌合プリプレグ５２ａを巻回する。この嵌合プリプレグ５２ａを巻回することで、他の部分より大径の嵌合部２３が形成される。
【００１７】
さらにその後、その外周にポリエチレンテレフタレートやポリプロピレンからなる保護用テープ（図示せず）を巻回して竿素材を得る。得られた竿素材を外周側から圧を加えて焼成し、マンドレル３００を抜き取り保護用テープを剥離する。そして、両端部を切り落とし、表面を研磨処理等して、内部竿体２を製造する。
【００１８】
なお、内部竿体２の本体部２１及び傾斜部２２の表面には、研磨処理後、必要に応じて様々な塗材を塗布して撥水性，耐候性，意匠性等を向上させる。一方、嵌合雄部２３の表面は研磨処理されたまま、塗材等の塗布は行わない。
（外部竿体１の製造方法）
本発明の第１実施形態を採用した外部竿体１は、以下のようにして製造される。
【００１９】
まず、所定のテーパが形成されたマンドレルの外周にワックス等の離型剤を塗布する。そして、穂先側端部の嵌合雌部１２内周面に他の部分に比べ比較的柔らかい樹脂層を形成するために、ポリエチレン繊維に樹脂を含浸させたプリプレグをマンドレルの穂先側に巻回する。その後、内部竿体１と同様に、炭素繊維の強化繊維に樹脂を含浸させたシート状のプリプレグを加圧しながら複数枚順次巻回する。さらにその後、その外周にポリエチレンテレフタレートやポリプロピレンからなる保護用テープを巻回して竿素材を得る。得られた竿素材を外周側から圧を加えて焼成し、マンドレルを抜き取り保護用テープを剥離する。そして、両端部を切り落とし、表面を研磨処理等して、外部竿体１を製造する。
【００２０】
（作用）
このように構成された釣竿では、外部竿体１の嵌合雌部１２と内部竿体２の嵌合雄部２３とが嵌合して、外部竿体１と内部竿体２とは連結される。ここで、傾斜部２２は本体部２１のテーパーに比べて大きなテーパーを有しており、竿元側端部の嵌合雄部２３の外径は本体部２１の外径に比べて十分に大きくなり、嵌合雌部１２の内周径も内部竿体２の本体部２１の外周に比べて十分大きく形成できる。この結果、内部竿体２を外部竿体１の内部に出し入れする際に、内部竿体２の本体部２１の表面が外部竿体１の嵌合雌部１２の内周面に不用意に接触するのを防止でき、不快な音の発生や、内部竿体２の表面塗装がはがれ落ちてしまうのを防止できる。
【００２１】
また、内部竿体２の嵌合雄部２３は傾斜部２２に形成されており、嵌合雄部２３と他の部分との段差部分３０を傾斜部が補強している。このため、釣竿の使用時にこの段差部分３０に大きな応力が集中しても破損しにくい。さらに本実施の形態では、外部竿体１の嵌合雌部１２の内周面に、炭素繊維強化樹脂に比べて柔らかいポリエチレン繊維強化樹脂層が設けられており、内部竿体２の表面の摩耗を有効に防止できる。
【００２２】
［第２実施形態］
以下、本発明の第２実施形態について、図面を参照しつつ説明する。
本発明の第２実施形態を採用した外部竿体６１は、図６に示すように、穂先側ほど小径にテーパーが形成された筒状の部材であって、内部は内部竿体６２を収納可能な竿収納部１００となっている。外部竿体６１は、本体部７１と、穂先側端部内周面に形成された嵌合雌部７２とを有している。この本体部７１は炭素繊維の強化繊維に樹脂を含浸させたシート状のプリプレグをマンドレルに巻回して成形されるものである。また、嵌合雌部７２の内周面には他の部分より比較的柔らかい樹脂層（図示せず）が形成されている。この樹脂層は、レーヨン繊維に樹脂を含浸させたプリプレグから形成され、本体部７１と一体形成されている。
【００２３】
内部竿体６２は、図６に示すように、穂先側ほど小径にテーパーが形成された筒状の部材であって、内部は穂先側に連結される他の内部竿体を収納可能な竿収納部２００となっている。内部竿体６２は、本体部８１と、本体部８１の竿元側端部に設けられ本体部８１のテーパーに比べてテーパーが大きく形成された傾斜部８２と、傾斜部８２に連続して設けられ、他の部分より大径に形成された嵌合雄部８３とを有している。また、嵌合雄部８３の竿元側端面には尻栓部８４が設けられている。
【００２４】
嵌合雄部８３は本体部８１及び傾斜部８２に一体化して形成され、外部竿体６１の嵌合雌部７２の内周径に合致するようになっている。この嵌合雄部８３は傾斜部８３に連続して他の部分より大径に形成されており、嵌合雄部８３の周面と傾斜部８２の周面とは連続したテーパー状になっている。
なお、その他の構成は第１実施形態と同様であり、説明を省略する。
【００２５】
（内部竿体６２の製造方法）
本発明の第２実施形態を採用した内部竿体６２は、以下のようにして製造される。
第１実施形態と同様に、所定のテーパが形成されたマンドレル３００の外周にワックス等の離型剤を塗布し、炭素繊維の強化繊維に樹脂を含浸させたシート状のプリプレグを加圧しながら順次巻回して本体部８１を形成する。その後、図７（ａ）に示すように、竿元側に傾斜プリプレグ９１を巻回する。この傾斜プリプレグ９１は、竿元側の辺が長辺になっている台形型であり、本体部８１の外周に巻回することによって、本体部８１のテーパーより大きなテーパーを有する部分、即ち、傾斜部８２を形成する。傾斜部８２を形成した後、図７（ｂ）に示すように、竿元側端部にさらに嵌合プリプレグ９２を巻回する。この嵌合プリプレグ９２も竿元側の辺が長辺になっている台形型であり、嵌合プリプレグ９２巻回することで、他の部分より大径の嵌合部８３が形成される。
【００２６】
このように構成された釣竿では、第１実施形態と同様の作用効果を奏する。
【００２７】
【発明の効果】
本発明にかかる釣竿によれば、内部竿体の本体部の外径に比べて外部竿体の穂先側端部の内径を十分に大きく形成できるので、内部竿体の本体部の外周面と外部竿体との不用意な接触を防止できる。また、嵌合雄部は傾斜部上に形成されているので、竿体に大きな力が加わった際に、嵌合雄部から竿体が破損してしまうのを防止できる。
【図面の簡単な説明】
【図１】本発明の一実施形態を採用した釣竿の全体図。
【図２】図１の外部竿体１と内部竿体２との連結部分の拡大断面図。
【図３】内部竿体２の竿元側付近の拡大断面図。
【図４】内部竿体２の本体部２１の製造途中の断面図。
【図５】内部竿体２の製造過程を示す図。
【図６】本発明の第２実施形態を採用した外部竿体６１と内部竿体６２との連結部分の拡大断面図。
【図７】内部竿体６２の製造過程を示す図。
【符号の説明】
１，６１  外部竿体
２，６２  内部竿体
１１  本体部
１２  嵌合雌部
２１，８１  本体部
２２，８２  傾斜部
２３，８３  嵌合雄部
２４，８４  尻栓部
【図１】
0004044197.tif 000002
【図２】
0004044197.tif 000003
【図３】
0004044197.tif 000004
【図４】
0004044197.tif 000005
【図５】
0004044197.tif 000006
【図６】
0004044197.tif 000007
【図７】
0004044197.tif 000008